(57)【要約】【課題】洗浄ノズルより食器類に向けて洗浄水を噴射して食器類を洗浄する食器洗い機において、洗浄槽の側壁面に設けた固定式洗浄ノズルと洗浄槽側面との間の隙間に汚れが堆積したり、作業者の指が入ったりするのを抑え、使い勝手を向上する。【解決手段】食器類を洗浄する洗浄槽１８の内部で、複数の洗浄ノズルにより食器類を洗浄する洗浄水を噴射する。複数の洗浄ノズルの内、少なくとも１つは固定式洗浄ノズル１７とし、固定式洗浄ノズル１７の少なくとも一部を洗浄槽１８の側壁面に設けた溝２３内に配設する。【選択図】  図１
2004321461.tif 000002
【特許請求の範囲】
【請求項１】
食器類を洗浄する洗浄槽と、前記洗浄槽の内部で食器類を洗浄する洗浄水を噴射する複数の洗浄ノズルとを備え、前記複数の洗浄ノズルの内、少なくとも１つは固定式洗浄ノズルとし、前記固定式洗浄ノズルの少なくとも一部を前記洗浄槽の側壁面に設けた溝内に配設した食器洗い機。
【請求項２】
固定式洗浄ノズルの少なくとも一部の外周に位置する洗浄槽の側壁面に、凸部を設けた請求項１記載の食器洗い機。
【請求項３】
食器類を洗浄する洗浄槽と、前記洗浄槽の内部で食器類を洗浄する洗浄水を噴射する複数の洗浄ノズルとを備え、前記複数の洗浄ノズルの内、少なくとも１つは固定式洗浄ノズルとし、前記固定式洗浄ノズルを前記洗浄槽の側壁面に配設し、かつ前記洗浄槽の底面および天面で挟持した食器洗い機。
【請求項４】
食器類を洗浄する洗浄槽と、前記洗浄槽の内部で食器類を洗浄する洗浄水を噴射する複数の洗浄ノズルとを備え、前記複数の洗浄ノズルの内、少なくとも１つは固定式洗浄ノズルとし、前記固定式洗浄ノズルを前記洗浄槽の側壁面に配設し、かつその一部を前記洗浄槽の底面および天面に設けた凸部に係着して前記洗浄槽に固定した食器洗い機。
【請求項５】
洗浄槽の側壁面に配設した固定式洗浄ノズルの洗浄水流路内の底面は、外形状に関係なく水が滞留しない方向に傾斜した請求項１〜４のいずれか１項に記載の食器洗い機。
【発明の詳細な説明】
【０００１】
【発明の属する技術分野】
本発明は、洗浄ノズルより食器類に向けて洗浄水を噴射して食器類を洗浄する食器洗い機に関するものである。
【０００２】
【従来の技術】
従来、この種の食器洗い機は図８から図１０に示すように構成していた。以下、その構成について説明する。
【０００３】
図８〜図１０に示すように、洗浄槽１は、前方に開口部２を有し、この開口部２を扉３により開閉するとともに、内部に洗浄水を噴射する複数の洗浄ノズル４を回転自在に設けており、洗浄槽１内に食器類５を収容する食器かご６を配置している。洗浄槽１は台枠７にて支持している。
【０００４】
洗浄槽１内の洗浄水はヒータ８によって温水化され、洗浄ポンプ９にて排水口１０に備えた残滓フィルタ１１を介して吸い込まれ、洗浄ノズル４に圧送され、噴出口から食器類５に向けて噴出し、循環する。これにより食器類５は洗浄される。洗浄行程が終了すると、洗浄水は洗浄槽１の下部に設けた排水ポンプ１２によって機外に排水される。
【０００５】
洗浄ノズル４は洗浄槽１の底面に固定した軸受部１３に回転自在に取り付けられ、上方への洗浄水噴射の反力により一定方向に連続回転する。これにより、食器類５に対し同心円状に洗浄水が噴射され、食器類５に付着した汚れを洗浄する（例えば、特許文献１参照）。
【０００６】
固定式洗浄ノズル１４は、底面が略長方形の洗浄槽１内で食器類５を均一に洗浄できるように洗浄槽１の側壁面に固定され、洗浄槽１の底面にて導水管１５と連結され、上方から食器類５に洗浄水を噴射するものである。この固定式洗浄ノズル１４は洗浄槽１の側壁面にねじ１６で固定されている。
【０００７】
【特許文献１】
特開平９−１０３４０２号公報（第３頁、図１）
【０００８】
【発明が解決しようとする課題】
このような従来の食器洗い機では、洗浄槽１の側壁面に設けた固定式洗浄ノズル１４は、洗浄槽１の側壁面との間に、製造上のばらつきや歪から僅かな隙間が生じることが多い。この場合に、食器類５から除去された汚れの一部が、固定式洗浄ノズル１４と洗浄槽１の側壁面との隙間に入り込み、堆積することで異臭などの原因となっていた。
【０００９】
また、使用者が使用後に洗浄槽１の拭き掃除を行った場合に、固定式洗浄ノズル１４と洗浄槽１との間の隙間に指が引掛り、固定式洗浄ノズル１４を過って引っ張って破壊してしまう恐れがあるという問題が考えられた。
【００１０】
また、固定式洗浄ノズル１４を洗浄槽１の側壁面にねじ１６で固定する場合には、洗浄槽１に穴をあける必要があるので、その穴から水漏れの恐れがあった。また、洗浄槽１の側壁面にねじ１６を締めるという、生産者にとって難しい組み立て作業を必要とするものであった。
【００１１】
本発明は上記従来の課題を解決するもので、洗浄槽の側壁面に設けた固定式洗浄ノズルと洗浄槽側面との間の隙間に汚れが堆積したり、使用者の指が引掛ったりするのを抑えることで、使い勝手が向上することを目的としている。
【００１２】
【課題を解決するための手段】
本発明は上記目的を達成するために、食器類を洗浄する洗浄槽の内部で、複数の洗浄ノズルにより食器類を洗浄する洗浄水を噴射するよう構成し、複数の洗浄ノズルの内、少なくとも１つは固定式洗浄ノズルとし、固定式洗浄ノズルの少なくとも一部を洗浄槽の側壁面に設けた溝内に配設したものである。
【００１３】
これにより、洗浄槽の側壁面に設けた固定式洗浄ノズルと洗浄槽の側壁面との間の隙間に汚れが堆積したり、使用者の指が引掛ったりするのを抑制することができることで、使い勝手を向上させることができる。
【００１４】
【発明の実施の形態】
本発明の請求項１に記載の発明は、食器類を洗浄する洗浄槽と、前記洗浄槽の内部で食器類を洗浄する洗浄水を噴射する複数の洗浄ノズルとを備え、前記複数の洗浄ノズルの内、少なくとも１つは固定式洗浄ノズルとし、前記固定式洗浄ノズルの少なくとも一部を前記洗浄槽の側壁面に設けた溝内に配設したものであり、洗浄槽の側壁面に設けた固定式洗浄ノズルと洗浄槽の側壁面との間の隙間に汚れが入りにくくなり、かつ作業者の指も入りにくくなるので、汚れが堆積して異臭がしたり、拭き掃除の際に指が引掛ることで固定式洗浄ノズルを破壊するのを抑制することができることで、使い勝手を向上させることができる。
【００１５】
請求項２に記載の発明は、上記請求項１に記載の発明において、固定式洗浄ノズルの少なくとも一部の外周に位置する洗浄槽の側壁面に、凸部を設けたものであり、洗浄ノズルからの洗浄水の噴射により、洗浄槽の側壁面沿いに移動してくる汚れを凸部で食い止めることができ、固定式洗浄ノズルと洗浄槽の側壁面との隙間に入り込むのより一層抑制することができる。
【００１６】
請求項３に記載の発明は、食器類を洗浄する洗浄槽と、前記洗浄槽の内部で食器類を洗浄する洗浄水を噴射する複数の洗浄ノズルとを備え、前記複数の洗浄ノズルの内、少なくとも１つは固定式洗浄ノズルとし、前記固定式洗浄ノズルを前記洗浄槽の側壁面に配設し、かつ前記洗浄槽の底面および天面で挟持したものであり、固定式洗浄ノズルをねじを使用することなく固定することができ、生産者による固定式洗浄ノズルの固定を容易にできるので、組立作業性を向上させることができるとともに、洗浄槽にねじ止め用の穴をあけることによる、洗浄槽の外への水漏れの恐れをなくすことができる。
【００１７】
請求項４に記載の発明は、食器類を洗浄する洗浄槽と、前記洗浄槽の内部で食器類を洗浄する洗浄水を噴射する複数の洗浄ノズルとを備え、前記複数の洗浄ノズルの内、少なくとも１つは固定式洗浄ノズルとし、前記固定式洗浄ノズルを前記洗浄槽の側壁面に配設し、かつその一部を前記洗浄槽の底面および天面に設けた凸部に係着して前記洗浄槽に固定したものであり、生産者による固定式洗浄ノズルの固定を容易にできるので、組立作業性を向上させることができるとともに、洗浄槽にねじ止め用の穴をあけることで、洗浄槽の外へ水漏れが発生する恐れをなくすことができる。
【００１８】
請求項５に記載の発明は、上記請求項１〜４に記載の発明において、洗浄槽の側壁面に配設した固定式洗浄ノズルの洗浄水流路内の底面は、外形状に関係なく水が滞留しない方向に傾斜したものであり、固定式洗浄ノズルの外形状が水平に横に伸びるものであった場合においても、固定式洗浄ノズル内の洗浄水は、運転終了後、固定式洗浄ノズル内に滞留しないので、滞留した洗浄水から異臭等が発生する恐れをなくすことができる。
【００１９】
【実施例】
以下、本発明の実施例について、図面を参照しながら説明する。なお、従来例と同じ構成のものは同一符号を付して説明を省略する。
【００２０】
（実施例１）
図１および図２に示すように、固定式洗浄ノズル１７は、洗浄ノズル４を含む複数の洗浄ノズルの内の１つを構成するもので、底面が略長方形の洗浄槽１８の内部で食器類５を均一に洗浄できるように設けられたものであり、支柱部１９とこの支柱部１９より水平に分岐した分岐部２０とを有している。内部には洗浄水流路２１が設けられ、この洗浄水流路２１は洗浄水を噴射する複数の噴射孔２２に連通している。
【００２１】
洗浄槽１８には、側壁面に固定式洗浄ノズル１７の外形よりも所定寸法大きい形状の溝２３が設けられている。固定式洗浄ノズル１７は溝２３の底面に配設され、固定式洗浄ノズル１７の支柱部１９が洗浄槽１８の底面と天面にて挟持して固定され、かつ洗浄槽１８の底面にて、洗浄水流路２１が導水管１５と連結している。他の構成は従来例と同じである。
【００２２】
上記構成において動作を説明する。食器かご６に食器類５を収容し、この食器かご６を洗浄槽１８内に配置し、洗剤を投入して運転を開始すると、所定の水位まで給水した後、洗浄ポンプ９を駆動する。洗浄槽１８内の洗浄水はヒータ８によって温水化されながら、洗浄ポンプ９にて排水口１０に備えた残滓フィルタ１１から吸い込まれ、洗浄ノズル４および固定式洗浄ノズル１７に圧送され、噴出口から食器類５に向けて噴出し、循環する。これにより食器類５は洗浄される。
【００２３】
このとき、食器類５は食器かご６の中で水平に収容されるので、固定式洗浄ノズル１７の分岐部２０に複数の噴射孔２２を設け、これら複数の噴射孔２２より洗浄水を噴射することにより、底面が略長方形の洗浄槽１８内で食器類５を均一に洗浄することができる。
【００２４】
洗浄行程が終了すると、洗浄槽１の下部に設けた排水ポンプ１２によって機外に洗浄水を排水し、再度給水して洗浄行程と同様にして、すすぎ行程で食器類５をすすいだ後、乾燥させる。
【００２５】
ここで、固定式洗浄ノズル１７は、洗浄槽１８の側壁面に設けた溝２３内に配設されているので、製造上のばらつき等により、固定式洗浄ノズル１７と洗浄槽１８の側壁面との間に隙間が生じた場合においても、食器類５から除去された汚れの一部が、固定式洗浄ノズル１７と洗浄槽１８の側壁面との隙間に侵入するのを低減させることができるので、汚れが堆積しにくいため異臭などが発生するのを低減させることができる。
【００２６】
また、使用者が洗浄槽１内を拭き掃除する場合においても、固定式洗浄ノズル１７と洗浄槽１８の側壁面との間に隙間に指が入らないので、隙間に指が引掛かることはなく、固定式洗浄ノズル１７の引っ張り破壊を防止することができる。
【００２７】
また、固定式洗浄ノズル１７は洗浄槽１８の底面と天面で挟持する構成であるので、固定式洗浄ノズル１７をねじを使用することなく固定することができ、生産者による固定式洗浄ノズル１７の固定を容易にできるとともに、洗浄槽１８にねじ止め用の穴を設ける必要がなく、穴から洗浄槽１８の外へ洗浄水が漏れる恐れをなくすることができると同時に、ねじ止めと比較して組立作業性を向上することができる。
【００２８】
なお、本実施例では、洗浄槽１８の側壁面に設けた溝部２３は、固定式洗浄ノズル１７の支柱部１９および分岐部２０を配設できる形状としているが、固定式洗浄ノズル１７の一部、例えば、固定式洗浄ノズル１７の支柱部１９だけを配設できる形状であってもよく、同様の作用、効果を得ることができることは言うまでもない。
【００２９】
（実施例２）
図３および図４に示すように、洗浄槽２４には、側壁面に固定式洗浄ノズル１７の外形よりも所定寸法大きい形状の溝２５が設けられている。固定式洗浄ノズル１７は溝２５の底面に配設され、固定式洗浄ノズル１７は支柱部１９を洗浄槽１８の底面と天面にて挟持して固定している。
【００３０】
溝２５の外周の内、固定式洗浄ノズル１７の支柱部１９より水平に分岐した分岐部２０の上下外周に位置する洗浄槽２４の側壁面に凸部２６を設けている。他の構成は上記実施例１と同じである。
【００３１】
上記構成において動作を説明する。なお、洗浄から乾燥までの基本的な動作は上記実施例１と同じであるので説明を省略する。
【００３２】
洗浄中において、洗浄ノズル４からの洗浄水の噴射は下から上方向であり、又、その噴射後は、側壁面に付着後は、重力により、下方向へ流れ落ちる。したがって、溝２５の外周の内、少なくとも固定式洗浄ノズル１７の分岐部２０の上下外周に位置する洗浄槽２４の側壁面に凸部２６を設けているので、製造上のばらつき等により、固定式洗浄ノズル１７と洗浄槽２４の側壁面との間に隙間が生じた場合においても、凸部２６により、食器類５から除去された汚れの一部が、下方からの噴射や上方からの流れ落ちにより固定式洗浄ノズル１７と洗浄槽２４の側壁面との隙間に侵入するのを低減させることができるので、汚れが堆積しにくいため異臭などが発生するのを低減させることができる。
【００３３】
なお、本実施例では、溝２５の外周の内、固定式洗浄ノズル１７の分岐部２０の上下外周に位置する洗浄槽２４の側壁面に凸部２６を設けているが、分岐部２０の上下以外の固定式洗浄ノズル１７の一部あるいは全体の外周に位置する洗浄槽２４の側壁面に凸部２６を設けてもよく、同様の作用、効果を得ることができることは言うまでもない。
【００３４】
（実施例３）
図５および図６に示すように、固定式洗浄ノズル２７は、支柱部２８とこの支柱部２８より水平に分岐した分岐部２９とを有し、洗浄水を噴射する複数の噴射孔３０を設けている。この固定式洗浄ノズル２７の支柱部２９の下端部は導水管１５と連結するとともに、導水管１５の先端凸部に係止されている。支柱部２９の上端部は洗浄槽３１の開口部２側に屈曲し、その開口部２側先端部分には、凹状部２７ａを設けており、その凹状部２７ａが洗浄槽３１の天面に設けた突起部３２に係止されている。この構成により固定式ノズル２７は、洗浄槽３０の底面および天面で係着され、洗浄槽３１に固定されている。他の構成は上記実施例１と同じである。
【００３５】
上記構成において作用を説明する。生産者は、固定式洗浄ノズル２７の支柱部２９の下端部を導水管１５の先端凸部に係止させ、上端部に設けた凹状部を洗浄槽３１の天面に設けた突起部３２に係止させることにより、固定式洗浄ノズル２７を洗浄槽３１の底面および天面で係着させ洗浄槽３１に固定できるので、生産者による固定式洗浄ノズル２７の固定を容易にできるので、組立作業性を向上させることができるとともに、洗浄槽３１にねじ止め用の穴をあける必要がなく、洗浄槽３１にねじ止め用の穴をあけることにより、洗浄槽３１の外へ水漏れが発生する恐れをなくすことができる。
【００３６】
（実施例４）
図７に示すように、固定式洗浄ノズル３３は、支柱部３４とこの支柱部３４より水平に分岐した分岐部３５とを有し、内部に洗浄水流路３６を設け、この洗浄水流路３６を洗浄水を噴射する複数の噴射孔３７に連通し、支柱部３４を洗浄槽３８の底面と天面にて挟持して固定している。
【００３７】
ここで、分岐部３５内の洗浄水流路３６の底面は、支柱部３４に向かい下がるようの傾斜を付けている。他の構成は上記実施例１と同じである。
【００３８】
上記構成において作用を説明する。分岐部３５内の洗浄水流路３６の底面は、支柱部３４に向かい下がるようの傾斜を付けているので、この傾斜により、運転終了後に分岐部３５の内面の洗浄水は支柱部３４に流れていくので、洗浄水がその中に滞留することがなく、滞留した洗浄水から異臭等が発生する恐れをなくすことができる。
【００３９】
【発明の効果】
以上のように本発明の請求項１に記載の発明によれば、複数の洗浄ノズルの内、少なくとも１つは固定式洗浄ノズルとし、固定式洗浄ノズルの少なくとも一部を洗浄槽の側壁面に設けた溝内に配設したから、固定式洗浄ノズルと洗浄槽の側壁面との間の隙間に汚れが入りにくくなり、かつ作業者の指も入りにくくなるので、汚れが堆積して異臭がしたり、拭き掃除の際に指がかかることで固定式洗浄ノズルを破壊するのを抑制することができ、使い勝手を向上することができる。
【図面の簡単な説明】
【図１】本発明の第１の実施例の食器洗い機の一部切欠した正面図
【図２】同食器洗い機の側断面図
【図３】本発明の第２の実施例の食器洗い機の一部切欠した正面図
【図４】同食器洗い機の要部拡大断面図
【図５】本発明の第３の実施例の食器洗い機の側断面図
【図６】同食器洗い機の要部拡大斜視図
【図７】本発明の第４の実施例の食器洗い機の一部切欠した正面図
【図８】従来の食器洗い機の断面図
【図９】同食器洗い機の側断面図
【図１０】同食器洗い機の横断面図
【符号の説明】
４  洗浄ノズル
５  食器類
１７  固定式洗浄ノズル（洗浄ノズル）
１８  洗浄槽
２３  溝
【図１】
2004321461.tif 000003
【図２】
2004321461.tif 000004
【図３】
2004321461.tif 000005
【図４】
2004321461.tif 000006
【図５】
2004321461.tif 000007
【図６】
2004321461.tif 000008
【図７】
2004321461.tif 000009
【図８】
2004321461.tif 000010
【図９】
2004321461.tif 000011
【図１０】
2004321461.tif 000012